(57)【要約】【課題】  ゴーストの発生を抑え得るようにする。【解決手段】  レーザ光６を発生可能な点光源としてのレーザ光源７と、レーザ光源７からのレーザ光６を収束させる非球面レンズ８と、非球面レンズ８で収束されたレーザ光６を線状に変換するシリンドリカルレンズ類９と、シリンドリカルレンズ類９で線状に変換されたレーザ光６の方向を変えてメータ面１上へ投影させるためのミラー１０とを備えると共に、レーザ光６の光路中に、ミラー１０によってレーザ光源７側へ反射されるレーザ光６を遮光するゴーストカット用マスク１５を設けるようにしている。【選択図】        図１
2005308695.tif 000002
【特許請求の範囲】
【請求項１】
レーザ光を発生可能な点光源としてのレーザ光源と、レーザ光源からのレーザ光を収束させる非球面レンズと、非球面レンズで収束されたレーザ光を線状に変換するシリンドリカルレンズ類と、シリンドリカルレンズ類で線状に変換されたレーザ光の方向を変えてメータ面上へ投影させるためのミラーとを備えると共に、
レーザ光の光路中に、ミラーによってレーザ光源側へ反射されるレーザ光を遮光するゴーストカット用マスクを設けたことを特徴とする光指針発生装置。
【発明の詳細な説明】
【技術分野】
【０００１】
この発明は、光指針発生装置に関するものである。
【背景技術】
【０００２】
自動車などの車両には、車室内の前部に速度計や回転計などの計器表示部を備えた計器表示装置が設けられる。これらの計器表示装置には、アナログ式のものとデジタル式のものとが存在する。アナログ式の計器表示装置は、文字板などのメータ面に対して文字目盛を有する指針回動領域を形成すると共に、この指針回動領域に指針軸を中心として指針を回動可能に配置したものである。
【０００３】
そして、上記指針には、物質的な針状体を伴う実指針や、レーザ光などの光のみによって表示され、物質的な針状体を伴わない光指針などがある。この光指針は、光指針発生装置によって発生される（例えば、特許文献１参照）。
【特許文献１】実公平５−１７６１９号公報
【発明の開示】
【発明が解決しようとする課題】
【０００４】
しかしながら、従来の光指針発生装置では、指針軸の先端部からメータ面へ光指針を投影させるのに、ミラーで光路を曲げるようにしており、この際、光指針の基端を指針軸に近付けるようにするためには、入射方向と反射方向との成す角度を可能な限り小さくする必要が生じるため、ミラーからの反射光の一部が入射方向へ戻り、反射を繰返すことによってゴーストを発生させてしまうおそれがあるという問題があった。
【課題を解決するための手段】
【０００５】
上記課題を解決するために、請求項１に記載された発明では、レーザ光を発生可能な点光源としてのレーザ光源と、レーザ光源からのレーザ光を収束させる非球面レンズと、非球面レンズで収束されたレーザ光を線状に変換するシリンドリカルレンズ類と、シリンドリカルレンズ類で線状に変換されたレーザ光の方向を変えてメータ面上へ投影させるためのミラーとを備えると共に、レーザ光の光路中に、ミラーによってレーザ光源側へ反射されるレーザ光を遮光するゴーストカット用マスクを設けた光指針発生装置を特徴としている。
【発明の効果】
【０００６】
請求項１の発明によれば、レーザ光の光路中に設けたゴーストカット用マスクによって、ミラーでレーザ光源側へ反射されるレーザ光を遮光することができる。これにより、ゴーストのない光指針を得ることができる。
【発明を実施するための最良の形態】
【０００７】
ゴーストの発生を抑えるという目的を、レーザ光の光路中に、ミラーによってレーザ光源側へ反射されるレーザ光を遮光するゴーストカット用マスクを設ける、という手段で実現した。
【実施例】
【０００８】
以下、本発明を具体化した実施例について、図示例と共に説明する。
【０００９】
図１〜図３は、この発明の実施例を示すものである。
【００１０】
まず、構成を説明すると、自動車などの車両には、車室内の前部に速度計や回転計などの計器表示部を複数備えた計器表示装置が設けられる。これらの計器表示装置には、アナログ式のものとデジタル式のものとが存在する。アナログ式の計器表示装置は文字板などのメータ面１に対して各計器表示部の指針回動領域２を形成すると共に、この指針回動領域２に指針３を回動可能に配置したものである。
【００１１】
そして、上記指針３には、物質的な針状体を伴う実指針や、レーザ光などの光のみによって表示され、物質的な針状体を伴わない光指針３ａなどがある。この光指針３ａは、光指針発生装置４によって発生される。
【００１２】
光指針発生装置４は、レーザ光６を発生可能な点光源としてのレーザ光源７と、レーザ光源７からのレーザ光６を収束させる非球面レンズ８と、非球面レンズ８で収束されたレーザ光６を線状に変換するシリンドリカルレンズ類９と、シリンドリカルレンズ類９で線状に変換されたレーザ光６の方向を変えてメータ面１上（の指針回動領域２）へ投影させるためのミラー１０とを備えている。
【００１３】
ここで、レーザ光源７には、例えば、レーザダイオードを用いる。シリンドリカルレンズ類９には、シリンドリカルレンズやロッドレンズなどを用いる。これらの光学部品（レーザ光源７、非球面レンズ８、シリンドリカルレンズ類９、ミラー１０）は、一直線状に並ぶよう配置される。
【００１４】
この実施例の光指針発生装置４では、レーザ光６の光路中に、ミラー１０によってレーザ光源７側（或いは入射方向）へ反射されることとなるレーザ光６ａを遮光するゴーストカット用マスク１５を設けるようにする。
【００１５】
ゴーストカット用マスク１５は、図１、図２に示すように、ミラー１０での反射後の光路中に設けても良い。また、図３に示すように、ミラー１０への入射前の光路中に設けても良い。
【００１６】
より具体的には、レーザ光源７は、略円柱状をしたレーザ光発生装置２１に取付けられたものを使用する。このレーザ光発生装置２１は、内部に図示しないレーザ発信回路を備えている。なお、図１では、レーザ光源７は、レーザ光発生装置２１内に収容されているため外部からは見えないが、便宜上、実線で描いてある。
【００１７】
そして、レーザ光発生装置２１の先端開口部分に、非球面レンズ８や、シリンドリカルレンズ類９や、ミラー１０などを保持可能なレンズホルダー２２，２３などを着脱自在に取付ける。なお、ミラー１０は、レンズホルダー２３に設けられた円筒面状の取付座３１に、半円柱状の取付部材３２を介して角度調整可能に取付けられている。取付座３１は、その軸線をレーザ光６の光軸と直交されている。このレンズホルダー２３には、指針キャップ３４が着脱自在に嵌着される。また、レンズホルダー２３側面と指針キャップ３４側面との対応する位置には、窓状の出射部３５，３６が形成され、この出射部３５，３６には保護ガラス３７が設けられている。ミラー１０は、この出射部３５，３６を指向している。
【００１８】
上記構成の光指針発生装置４は図示しない、メータ駆動ユニットに取付けられて軸転可能に構成される。このメータ駆動ユニットには、交差コイル式ムーブメントやステッピングモータなどを用いる。そして、光指針発生装置４を指針軸として、メータ面１における各計器表示部の指針回動領域２の中心位置に対して軸転可能に貫通配置させる。
【００１９】
なお、符号４０は、レーザ発信回路に対して信号や電力を送受信するためのケーブルである。
【００２０】
次に、この実施例の作用について説明する。
【００２１】
レーザ発信回路を駆動して点光源としてのレーザ光源７からレーザ光６を発生させる。すると、レーザ光源７からは、円錐状あるいは楕円錐状に拡がるレーザ光６が発生される。レーザ光源７からのレーザ光６は非球面レンズ８で収束され、非球面レンズ８で収束されたレーザ光６はシリンドリカルレンズ類９で線状に変換され、指針３（光指針３ａ）となる。
【００２２】
この指針３は、このままでは光指針発生装置４の真上に投影されることとなるので（指針像３ｂ）、先端側ケースにおける傾斜端面の内面側に取付けたミラー１０で反射して、出射部３５，３６から文字板などのメータ面１の指針回動領域２へ投影させるようにする。以上により、指針回動領域２に光指針３ａが形成される。そして、この光指針３ａは、メータ駆動ユニットを駆動して光指針発生装置４全体を軸転させることにより、指針回動領域２に沿って回動されることとなる。以上により、指針３（光指針３ａ）が指針回動領域２上で情報を現示し得るようになる。
【００２３】
この際、光指針３ａの基端Ｐが指針軸（光指針発生装置４）から離れていると一体感が得られないので、計器表示装置の構成によっては光指針３ａの基端Ｐを指針軸（光指針発生装置４）に近付けるようにすることが望まれるが、そのようにするためには、レーザ光６の入射方向と反射方向との成す角度を可能な限り小さくする必要が生じる。しかし、このようにした場合、ミラー１０からの反射光の一部がレーザ光源７側、或いは、入射方向へ戻り、反射を繰返すことによってゴーストを発生させてしまうおそれがある（レーザ光６ａ参照）。
【００２４】
そこで、この実施例では、レーザ光６の光路中に設けたゴーストカット用マスク１５によって、ミラー１０でレーザ光源７側へ反射されることとなるレーザ光６ａを途中で遮光させるようにしている。これにより、ゴーストのない光指針３ａを得ることが可能となる。なお、説明の都合上、レーザ光６のうちゴーストの原因となるレーザ光６ａの光路全体を図中に鎖線で描いており、この鎖線はゴーストカット用マスク１５を越えているが、実際には、ゴーストカット用マスク１５で遮光されることは言うまでも無い。
【００２５】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００２６】
【図１】本発明の実施例にかかる光指針発生装置の側方断面図である。
【図２】図１の一部を取出した光学部品の配置図である。
【図３】図２の変形例を示す光学部品の配置図である。
【符号の説明】
【００２７】
１    メータ面
４    光指針発生装置
６    レーザ光
７    レーザ光源
８    非球面レンズ
９    シリンドリカルレンズ類
１０  ミラー
１５  ゴーストカット用マスク
【図１】
2005308695.tif 000003
【図２】
2005308695.tif 000004
【図３】
2005308695.tif 000005